(57)【要約】【課題】簡単な構成で部品点数が少なく、低コスト性、生産性に優れ、分解、組立てが容易で運搬性に優れると共に、様々な寸法形状を有する黒板に対し、精度よく位置決めを行って貼り替えを行うことができる信頼性、汎用性に優れる黒板貼り替え治具の提供。【解決手段】ａ．壁面固定基板又は壁面固定基板の下端に配設された粉受の底面に新しい黒板の長手方向の両端位置でそれぞれ着脱自在に固定される固定部と、固定部に延設又は着脱自在に配設された摺動案内部と、を有した端部支持具と、ｂ．略矩形板状又は略矩形枠状に形成され上面の所定位置に新しい黒板の筆記面を磁着する磁石を配設された黒板載置部と、黒板載置部の一端部の長手方向に２以上配設された支持脚部と、を有し、支持脚部と対向する黒板載置部の他端部が端部支持具の摺動案内部上に載置される黒板保持具と、を備えている。【選択図】図１
2006035822.tif 000002
【特許請求の範囲】
【請求項１】
壁面黒板固定基板の表面に固定された古い黒板を貼り替える黒板貼り替え治具であって、
ａ．前記壁面黒板固定基板又は前記壁面黒板固定基板の下端に配設された粉受の底面に新しい黒板の長手方向の両端位置でそれぞれ着脱自在に固定される固定部と、前記固定部に延設又は着脱自在に配設された摺動案内部と、を有した端部支持具と、
ｂ．略矩形板状又は略矩形枠状に形成され上面の所定位置に前記新しい黒板の筆記面を磁着する磁石を配設された黒板載置部と、前記黒板載置部の一端部の長手方向に２以上配設された支持脚部と、を有し、前記支持脚部と対向する前記黒板載置部の他端部が前記端部支持具の前記摺動案内部上に載置される黒板保持具と、
を備えたことを特徴とする黒板貼り替え治具。
【請求項２】
前記壁面黒板固定基板又は前記壁面黒板固定基板の下端に配設された粉受の底面に長手方向の任意位置で着脱自在に固定される固定部と、前記固定部に延設又は着脱自在に配設された摺動案内部と、を有した１以上の補助支持具を備えたことを特徴とする請求項１に記載の黒板貼り替え治具。
【請求項３】
前記端部支持具及び前記補助支持具が、前記固定部に穿設された固定部取付孔を有し、前記端部支持具及び前記補助支持具の前記摺動案内部が、前記固定部に延設され前記壁面黒板固定基板の前方に水平方向に突出して形成されたことを特徴とする請求項１又は２に記載の黒板貼り替え治具。
【請求項４】
前記端部支持具が、前記摺動案内部の左右いずれか一方の端部に立設された側面位置決め部を備えたことを特徴とする請求項３に記載の黒板貼り替え治具。
【請求項５】
前記端部支持具及び前記補助支持具が、前記固定部の端部に垂設された垂直固定部と、前記固定部に穿設された固定部取付孔と、前記垂直固定部に穿設された垂直固定孔と、前記摺動案内部の端部に垂設された垂直支持部と、前記垂直支持部に穿設された垂直位置決め孔と、前記垂直固定孔及び前記垂直位置決め孔に挿通され前記固定部と前記摺動案内部を着脱自在に固定する支持具固定部と、を備えたことを特徴とする請求項１又は２に記載の黒板貼り替え治具。
【請求項６】
前記端部支持具が、前記固定部又は前記摺動案内部の左右いずれか一方の端部に立設された側面案内部を備えたことを特徴とする請求項５に記載の黒板貼り替え治具。
【請求項７】
前記黒板保持具の前記黒板載置部が、長手方向に分割された複数の部分載置部材と、前記隣接する部分載置部材間の当接側の裏面に渡設された連結金具と、前記連結金具の少なくとも左右いずれか一方の端部を前記部分載置部材に着脱自在に固定する結合部材と、前記連結金具と少なくとも左右いずれか一方の前記結合部材の間に配設された弾性部材と、を備えたことを特徴とする請求項１乃至６の内いずれか１項に記載の黒板貼り替え治具。
【請求項８】
請求項１乃至７の内いずれか１項に記載の黒板貼り替え治具の端部支持具の固定部を前記壁面黒板固定基板又は前記壁面黒板固定基板の下端に配設された粉受の底面に新しい黒板の長手方向の両端位置でそれぞれ着脱自在に固定する端部支持具取付工程と、前記黒板保持具の前記支持脚部と対向する前記黒板載置部の端部を前記端部支持具の前記摺動案内部上に載置する黒板保持具載置工程と、前記黒板保持具の前記支持脚部により前記黒板載置部を支持する黒板載置部支持工程と、前記黒板保持具の前記黒板載置部の上面の所定位置に前記新しい黒板の筆記面を前記磁石により磁着する黒板磁着工程と、前記古い黒板の表面及び／又は前記新しい黒板の裏面に接着層を形成する接着層形成工程と、前記黒板載置部の前記支持脚部側の端部を上方に押し上げて前記黒板載置部を前記端部支持具の前記摺動案内部に直立させる黒板載置部回動工程と、前記黒板載置部を前記古い黒板側へ摺動させる黒板載置部摺動工程と、前記新しい黒板を前記古い黒板に押圧する黒板押圧工程と、を備えたことを特徴とする黒板貼り替え方法。
【請求項９】
１以上の前記補助支持具を前記壁面黒板固定基板又は前記壁面黒板固定基板の下端に配設された粉受の底面に長手方向の任意位置で着脱自在に固定する補助支持具取付工程を備えたことを特徴とする請求項８に記載の黒板貼り替え方法。
【発明の詳細な説明】
【技術分野】
【０００１】
本発明は、チョーク乗りが悪くなった黒板の補修を行うための黒板貼り替え治具及びそれを用いた黒板貼り替え方法に関するものである。
【背景技術】
【０００２】
学校や会議室等の壁面に据え付けられている黒板は、黒板塗料を表側の筆記面に塗布した黒板を、壁面黒板固定基板に接着剤により貼着して造られている。
使用により黒板が古くなると、筆記面の一部の黒板塗料がはがれたりかすれたりして、チョーク乗りが悪くなるため、定期的に黒板の補修が行われている。
従来、黒板の補修方法として、一面に黒板塗料が塗布された黒板鋼板又はこの黒板鋼板にベニヤ板が裏打ちされた２層板を黒板の大きさに切断し、その後、これを壁面に据え付けられたままの状態又は壁面から剥がして床に載置された状態である壁面黒板固定基板の古い黒板の筆記面に人力で重ね貼りする方法が一般的に行われている。
しかし、黒板が広面積で重量があるので、新しい黒板を古い黒板の筆記面に貼着する際に、多数の作業者が必要であるという問題点があった。
また貼り替え作業は、作業者の経験的な勘に頼った作業となるので、新しい黒板は若干の位置ずれ状態で貼着される場合が多く、その際、接着剤が乾かないうちに一旦貼着された黒板の位置補正をしなければならず、その作業に多大の労力を要するとともに、作業が煩雑で作業性に欠けるという問題点があった。
これらの問題点を解決するために、本出願人が出願し特許された（特許文献１）には「壁面黒板固定基板側を中心にして回動され、複数の部分載置部材に分割された黒板載置部材と、黒板載置部材に配設され、黒板載置部材とチョーク受を係止可能な係止手段である摺動金具と、黒板載置部材の上縁部に配設された新しい黒板の位置決め手段と、新しい黒板の滑防止部と、黒板載置部材の支持手段と、を備えた黒板の貼り替え装置」が開示されている。
【特許文献１】特許第３４７８９２８号公報
【発明の開示】
【発明が解決しようとする課題】
【０００３】
しかしながら上記従来の技術では、以下のような課題を有していた。
（１）（特許文献１）に記載の黒板の貼り替え装置は、黒板の貼り替え作業の省力化を著しく向上させることができ、簡単な作業で黒板を正確な位置に貼着でき、低原価で量産性に優れるという作用、効果を有していたが、さらなる機構の簡素化、部品点数の低減による低コスト化と生産性、運搬性の向上、様々な寸法形状の黒板の貼り替えに対応可能な汎用性、取扱い性の向上及び位置決め精度、作業性の改善が望まれていた。
（２）（特許文献１）に記載の黒板の貼り替え装置は、摺動金具が黒板載置部材に一体に配設されているので、黒板の貼り替え装置の運搬時や収納時に黒板載置部材から突出した摺動金具が邪魔になり、取扱い性に欠けるという課題を有していた。また、摺動金具を着脱自在にした場合は、組立て作業が必要になり作業性に欠けるという課題を有していた。さらに、貼り替え作業時には黒板載置部材に配設された摺動金具によって黒板載置部材とチョーク受を係止するので、黒板の前に黒板の貼り替え装置を設置できるスペースがなければ貼り替え作業を行うことができず、汎用性に欠けるという課題を有していた。
【０００４】
本発明は上記従来の課題を解決するもので、簡単な構成で部品点数が少なく、低コスト性、生産性に優れ、分解、組立てが容易で運搬性に優れると共に、様々な寸法形状を有する黒板に対し、精度よく位置決めを行って貼り替えを行うことができる信頼性、汎用性に優れる黒板貼り替え治具の提供及び黒板の貼り替えを短時間で確実に行なうことができる施工性、生産性に優れる黒板貼り替え方法の提供を目的とする。
【課題を解決するための手段】
【０００５】
上記課題を解決するために本発明の黒板貼り替え治具及びそれを用いた黒板貼り替え方法は、以下の構成を有している。
本発明の請求項１に記載の黒板貼り替え治具は、壁面黒板固定基板の表面に固定された古い黒板を貼り替える黒板貼り替え治具であって、ａ．前記壁面黒板固定基板又は前記壁面黒板固定基板の下端に配設された粉受の底面に新しい黒板の長手方向の両端位置でそれぞれ着脱自在に固定される固定部と、前記固定部に延設又は着脱自在に配設された摺動案内部と、を有した端部支持具と、ｂ．略矩形板状又は略矩形枠状に形成され上面の所定位置に前記新しい黒板の筆記面を磁着する磁石を配設された黒板載置部と、前記黒板載置部の一端部の長手方向に２以上配設された支持脚部と、を有し、前記支持脚部と対向する前記黒板載置部の他端部が前記端部支持具の前記摺動案内部上に載置される黒板保持具と、を備えた構成を有している。
この構成により、以下のような作用を有する。
（１）壁面黒板固定基板又は壁面黒板固定基板の下端に配設された粉受の底面に着脱自在に固定される端部支持具と、新しい黒板を保持し端部支持具に端部が載置される黒板保持具が別々に形成されているので、新しい黒板の寸法や形状に応じて種類の異なる端部支持具と黒板保持具を組合せて使用することができ汎用性に優れると共に、小型で軽量な端部支持具のみを独立して壁面黒板固定基板等の底面に容易に位置決め固定することができ施工性に優れる。
（２）端部支持具が固定部を有するので、壁面黒板固定基板等の底面に容易に着脱自在に固定することができる。
（３）端部支持具が固定部に延設又は着脱自在に配設された摺動案内部を有するので、黒板保持具の端部を載置することができ、容易に黒板保持具を回動させて摺動案内部上に直立させることができ、黒板保持具を摺動案内部に沿って摺動させ古い黒板の表面に押付けることができる。
（４）黒板保持具の黒板載置部が略矩形板状又は略矩形枠状に形成されているので、新しい黒板に合わせて寸法を選択することにより、安定して新しい黒板を支持することができると共に、新しい黒板を古い黒板の表面に押付ける際に全面又は外周の四辺を確実に押圧することができる。
（５）黒板載置部の上面の所定位置に新しい黒板の筆記面を磁着する磁石を有するので、確実に新しい黒板を保持することができ、黒板保持具を回動させたり、摺動させたりする際に新しい黒板の位置がずれることがなく、精度よく位置決めして貼り替えを行うことができる。
（６）端部支持具と黒板保持具が別々に形成され、黒板保持具に新しい黒板を磁着する磁石が配設されているので、壁面黒板固定基板の周囲に十分なスペースがない場合、端部支持具の取付けと黒板保持具への新しい黒板の磁着を別の場所で行うことができ、黒板保持具を立てて搬入しても新しい黒板の位置ずれが発生することがなく、貼り替え作業を行うことができる。
（７）黒板載置部の一端部の長手方向に支持脚部が２以上配設されているので、支持脚部と対向する黒板載置部の他端部を端部支持具に載置させた際に、黒板保持具を自立させることができ、一人又は少人数で貼り替え作業を行うことができる。
（８）端部支持具を独立して壁面黒板固定基板等の底面の任意の位置に固定することができるので、並設されたニ面以上の黒板の内、貼り替えが必要な黒板のみを選択して貼り替え作業を行うことができる。
【０００６】
ここで、端部支持具はアルミニウム製やアルミニウム合金製等の軽量で機械的強度を有する材質で形成されるのが好ましい。端部支持具は、壁面黒板固定基板又は壁面黒板固定基板の下端に配設された粉受の底面に固定部をねじ止めすることにより着脱自在に固定される。壁面黒板固定基板の下端に配設された粉受が着脱可能な場合は、粉受を取外してから壁面黒板固定基板の底面に端部支持具を取付けることもできる。また、粉受に粉受溝が形成され、粉受を取外すことができない場合は、粉受溝を埋木等で埋めることにより段差をなくし、黒板保持具を確実に摺動させることができる。黒板の表面外周に押え縁が配設されている場合は、押え縁を取外してから貼り替えを行い、貼り替え作業終了後に押え縁を取付ける。
黒板保持具の各部は、アルミニウム製や木製等の軽量で機械的強度を有する材質で形成されるのが好ましい。これにより、搬送時の作業性を向上させることができる。特に、黒板載置部を枠状に形成した場合、より軽量で搬送性、取扱い性に優れる。板状に形成した黒板載置部の裏面や枠状に形成した黒板載置部の枠の内側に１乃至複数の横桟や縦桟を配設することにより、黒板載置部を補強して変形や破損を防止できる。また、横桟や縦桟に手を掛けることができ、搬送性、取扱い性を向上させることができる。特に、横桟や縦桟をねじ止めや嵌合等により取付けた場合、搬送時や貼り替え作業時の必要に応じて着脱することができ、取扱い性、作業性に優れる。
【０００７】
黒板載置部の大きさは、壁面黒板固定基板の寸法より若干、小さ目に形成する。これにより、壁面黒板固定基板の寸法誤差を吸収することができ、黒板載置部で新しい黒板を古い黒板の表面に押付けた際に、黒板載置部と壁面黒板固定基板の外周の黒板保持枠が干渉することがなく、位置決めの確実性に優れる。一般的な黒板の長手方向の寸法は、９００ｍｍの整数倍に形成されているので、黒板載置部としては９００ｍｍと１８００ｍｍに対応するものを用意すればよい。それらを組合せることにより２７００ｍｍ、３６００ｍｍ、或いはそれ以上の大きさに対応できる。また、枠状の黒板載置部を長手方向に伸縮可能に形成してもよい。これにより、一種類の黒板保持具で大きさの異なる黒板の貼り替えを行うことができ汎用性に優れる。また、規格外の大きさの黒板に対しても長さを調整して使用することができ機能性に優れる。
【０００８】
古い黒板の下地がマグネットの場合には、黒板保持具を摺動案内部上に直立させた際に、新しい黒板が古い黒板の磁力で引き寄せられて位置ずれが発生することがあるので、必要に応じて黒板載置部に新しい黒板をより強固に磁着して固定するための補助磁石を追加してもよい。また、補助磁石が配設された補助磁着部を黒板載置部の側部等に回動自在に配設し、必要に応じて補助磁石の磁着面を黒板載置部の上面に向け、新しい黒板を磁着するようにしてもよい。
新しい黒板がマグネット式の場合、黒板載置部の上面に配設される磁石の磁力を弱くするか、磁石の数を減らしておくことが好ましい。これにより、新しい黒板が黒板載置部に強固に磁着されるのを防止でき、位置決めを容易に行うことができる。前述の補助磁着部を備えることにより、位置決め後に補助磁着部を回動させて新しい黒板を強固に磁着することができ、位置ずれが発生することなく貼り替え作業を行うことができ、信頼性、汎用性に優れる。
黒板載置部の上面や補助磁着部に配設される磁石や補助磁石としては、永久磁石や電気磁石等が採用できる。電気磁石の場合、容易にＯＮ、ＯＦＦを切替えて新しい黒板の固定や固定解除を行うことができ、位置決めや貼り替え作業を容易に行うことができる。
【０００９】
請求項２に記載の発明は、請求項１に記載の黒板貼り替え治具であって、前記壁面黒板固定基板又は前記壁面黒板固定基板の下端に配設された粉受の底面に長手方向の任意位置で着脱自在に固定される固定部と、前記固定部に延設又は着脱自在に配設された摺動案内部と、を有した１以上の補助支持具を備えた構成を有している。
この構成により、請求項１の作用に加え、以下のような作用を有する。
（１）壁面黒板固定基板や粉受の底面に長手方向の任意位置に着脱自在に固定される１以上の補助支持具を有することで、大型の黒板や湾曲した壁面黒板固定基板への黒板の貼り替えを行う際に、黒板載置部の長手方向の要所を支持することができ、黒板保持具の摺動時に確実に案内することができる。
（２）補助支持具が固定部を有するので、壁面黒板固定基板等の底面に容易に着脱することができる。
（３）補助支持具が固定部に延設又は着脱自在に配設された摺動案内部を有するので、黒板保持具の端部を載置することができ、直立させた黒板保持具を確実に支持することができ、黒板保持具を摺動案内部に沿って摺動させ古い黒板に押付けることができる。
【００１０】
ここで、補助支持具は前述の端部支持具と同様の材質で形成される。また、補助支持具は端部支持具と同様の手順で壁面黒板固定基板や粉受の底面に取付けられる。補助支持具の数や取付け間隔は、黒板の長さや壁面黒板固定基板の湾曲の程度に応じて適宜、選択される。
補助支持具の摺動案内部の長さは、端部支持具の摺動案内部の長さよりも長めに形成しておくことが好ましい。これにより、湾曲した壁面黒板固定基板に対し黒板の貼り替えを行う際に、黒板載置部の長手方向の中央部等の要所を確実に支持することができ、施工性に優れる。
【００１１】
請求項３に記載の発明は、請求項１又は２に記載の黒板貼り替え治具であって、前記端部支持具及び前記補助支持具が、前記固定部に穿設された固定部取付孔を有し、前記端部支持具及び前記補助支持具の前記摺動案内部が、前記固定部に延設され前記壁面黒板固定基板の前方に水平方向に突出して形成された構成を有している。
この構成により、請求項１又は２の作用に加え、以下のような作用を有する。
（１）端部支持具及び補助支持具の固定部に固定部取付孔が穿設されているので、ねじ止めにより容易に固定することができ、着脱自在性に優れる。
（２）端部支持具及び補助支持具の摺動案内部が、固定部に延設されて形成されているので、固定部と摺動案内部を一体に形成することができ、部品点数が少なく、生産性に優れる。
（３）端部支持具及び補助支持具の固定部と摺動案内部が一体に形成されていることにより、固定部と摺動案内部を固定する固定手段や位置決め作業が不要となり、固定部を位置決め固定するだけで摺動案内部により確実に黒板保持具を支持、案内することができる。
（４）摺動案内部が、固定部に延設され壁面黒板固定基板の前方に水平方向に突出して形成されているので、壁面黒板固定基板の底面に直接、取付けることによって黒板保持具を支持、案内することができる。
【００１２】
ここで、固定部取付孔は壁面黒板固定基板の長手方向に2以上穿設することが好ましい。これにより、固定部を壁面黒板固定基板等の底面にビスで強固に固定でき、摺動案内部上で黒板保持具を摺動させる際に、端部支持具及び補助支持具が回転することがなく、確実に黒板保持具を支持、案内することができる。また、固定部取付孔を壁面黒板固定基板の長手方向と平行又は直角方向に長孔状に形成した場合、端部支持具及び補助支持具の取付け位置を左右又は前後方向に容易に調整することができ、作業性に優れる。
固定部及び／又は摺動案内部の両側を下方に折り曲げ、断面略コ字型に形成した場合、固定部及び／又は摺動案内部の剛性を高めることができる。特に、摺動案内部を断面略コ字型に形成した場合、摺動案内部に黒板保持具の端部を載置した際や黒板保持具を回動させて直立させた際などに摺動案内部が変形するのを防止でき、信頼性に優れる。
【００１３】
請求項４に記載の発明は、請求項３に記載の黒板貼り替え治具であって、前記端部支持具が、前記摺動案内部の左右いずれか一方の端部に立設された側面位置決め部を備えた構成を有している。
この構成により、請求項３の作用に加え、以下のような作用を有する。
（１）端部支持具の摺動案内部の左右いずれか一方の端部に側面位置決め部が立設されているので、黒板保持具の黒板載置部の両端を案内することができ、左右方向の位置ずれを発生させることなく黒板保持具を摺動案内部上で摺動させることができる。
（２）摺動案内部の端部に側面位置決め部が立設されているので、固定部の上面を壁面黒板固定基板の底面に当接させた状態で、側面位置決め部の端面を古い黒板の表面に押し当てることができ、壁面黒板固定基板の長手方向の任意の位置で容易に位置決めを行うことができ、確実に端部支持具の取付けを行うことができる。
【００１４】
ここで、側面位置決め部は摺動案内部の端部を上方に折り曲げて一体に形成してもよいし、別部材を摺動案内部の側部にねじ止め等により固定してもよい。側面位置決め部を別部材で形成し、固定用の孔を長孔状にした場合、側面位置決め部を壁面黒板固定基板の前後方向に位置決めして固定できる。これにより、壁面黒板固定基板の厚さによらず確実に側面位置決め部の端面を古い黒板の表面に押し当てることができ、黒板保持具を案内することができる。
【００１５】
請求項５に記載の発明は、請求項１又は２に記載の黒板貼り替え治具であって、前記端部支持具及び前記補助支持具が、前記固定部の端部に垂設された垂直固定部と、前記固定部に穿設された固定部取付孔と、前記垂直固定部に穿設された垂直固定孔と、前記摺動案内部の端部に垂設された垂直支持部と、前記垂直支持部に穿設された垂直位置決め孔と、前記垂直固定孔及び前記垂直位置決め孔に挿通され前記固定部と前記摺動案内部を着脱自在に固定する支持具固定部と、を備えた構成を有している。
この構成により、請求項１又は２の作用に加え、以下のような作用を有する。
（１）端部支持具及び補助支持具が、固定部の端部に垂設された垂直固定部と、摺動案内部の端部に垂設された垂直支持部を有するので、固定部の垂直固定部に摺動案内部の垂直支持部を当接させることにより、固定部で摺動案内部を案内することができ、摺動案内部を水平に保持することができ、精度のよい貼り替え作業を行うことができる。
（２）端部支持具及び補助支持具が、固定部に穿設された固定部取付孔を有するので、壁面黒板固定基板又は粉受の底面に容易にねじ止めして固定することができる。
（３）垂直固定部に垂直固定孔が穿設され、垂直支持部に垂直位置決め孔が穿設されているので、支持具固定部により容易に固定部と摺動案内部の高さを調整して固定することができ、端部支持具及び補助支持具の分解、組立てを簡便に行うことができる。
（４）垂直固定孔及び垂直位置決め孔により、固定部と摺動案内部の高さを自在に調整できるので、壁面黒板固定基板から粉受が取外せない場合や壁面黒板固定基板と古い黒板の下端がずれている場合でも、摺動案内部を粉受の上面や古い黒板の下端に容易に位置合わせすることができ、確実に黒板保持具を案内して貼り替え作業を行うことができる。
ことができる。
【００１６】
ここで、垂直固定孔及び／又は垂直位置決め孔は、垂直方向に複数の孔を穿設するか、長孔状に形成する。これにより、固定部と摺動案内部の高さを容易に調整でき、粉受の高さや壁面黒板固定基板と古い黒板との高さ方向の位置ずれ量によらず、黒板保持具を案内できる。特に、垂直固定孔及び／又は垂直位置決め孔を長孔状に形成した場合、高さの微調整を行うことができ、位置決め精度を向上させることができ、信頼性に優れる。
【００１７】
請求項６に記載の発明は、請求項５に記載の黒板貼り替え治具であって、前記端部支持具が、前記固定部又は前記摺動案内部の左右いずれか一方の端部に立設された側面案内部を備えた構成を有している。
この構成により、請求項５の作用に加え、以下のような作用を有する。
（１）端部支持具の固定部又は摺動案内部の左右いずれか一方の端部に側面案内部が立設されているので、黒板保持具の黒板載置部の両端を確実に案内することができ、左右方向の位置ずれを発生させることなく黒板保持具を摺動案内部上で摺動させることができる。
【００１８】
ここで、側面案内部は固定部又は摺動案内部の端部を上方に折り曲げて一体に形成してもよいし、別部材を固定部又は摺動案内部の側部にねじ止め等により固定してもよい。側面案内部を固定部に設けた場合、側面案内部の案内面を壁面黒板固定基板や粉受の端面に突き当てるようにして固定できるので、壁面黒板固定基板の両端位置に合わせて黒板保持具を案内することができ、壁面黒板固定基板の長手方向全体の貼り替え時に好適に使用できる。
側面案内部を摺動案内部に設けた場合、固定部を壁面黒板固定基板の長手方向の任意の位置で壁面黒板固定基板又は粉受に固定することができ、古い黒板の長手方向の一部のみの貼り替え時に好適に使用できる。壁面黒板固定基板から粉受を取外し、直接、壁面黒板固定基板の底面に固定部を取付けている際には、側面案内部の端面を古い黒板の表面に突き当てるようにして取付けることができるので、黒板保持具を確実に摺動させて古い黒板の表面まで案内できる。また、壁面黒板固定基板から粉受を取外せない時でも、側面案内部を粉受の幅だけ壁面黒板固定基板側に伸ばすことにより、側面案内部の壁面黒板固定基板側の下端面を粉受の上面に当接させ、側面案内部の端面を古い黒板の表面に突き当てるようにして取付けることができるので、黒板保持具を確実に摺動させて古い黒板の表面まで案内できる。
【００１９】
摺動案内部に対し側面案内部を壁面黒板固定基板の厚さ方向に摺動自在に固定する側面案内調整部を備えた場合、壁面黒板固定基板の厚さが異なっても、側面案内部の端面を古い黒板の表面に突き当てるように移動させて固定することができ、黒板保持具を確実に摺動させて古い黒板の表面まで案内でき、汎用性、施工性に優れる。
側面案内調整部としては、摺動案内部及び／又は側面案内部の側部等に長孔状の調整孔を穿設しねじ止め固定するものや互いに嵌合する凸部と凹部を形成しねじ止めやピン嵌合等により固定するものが好適に用いられる。
【００２０】
請求項７に記載の発明は、請求項１乃至６の内いずれか１項に記載の黒板貼り替え治具であって、前記黒板保持具の前記黒板載置部が、長手方向に分割された複数の部分載置部材と、前記隣接する部分載置部材間の当接側の裏面に渡設された連結金具と、前記連結金具の少なくとも左右いずれか一方の端部を前記部分載置部材に着脱自在に固定する結合部材と、前記連結金具と少なくとも左右いずれか一方の前記結合部材の間に配設された弾性部材と、を備えた構成を有している。
この構成により、請求項１乃至６の内いずれか１項の作用に加え、以下のような作用を有する。
（１）黒板載置部が長手方向に複数の部分載置部材に分割され、隣接する部分載置部材が連結金具を介して結合部材で着脱自在に固定されているので、容易に部分載置部材の連結、分割を行うことができ、長手方向の寸法が異なる黒板に対応して貼り替えを行うことができる。
（２）複数の部分載置部材が結合部材により着脱自在に固定されているので、容易に分割することができ、コンパクト化して手軽に運搬や収納などを行うことができる。
（３）部分載置部材を結合部材で固定するための連結金具が部分載置部材間の当接側の裏面に渡設されているので、黒板載置部の上面に突起や段差などがなく、新しい黒板を安定して載置、磁着して保持することができる。
（４）連結金具と少なくとも左右いずれか一方の結合部材の間に弾性部材が配設されていることにより、連結金具と結合部材の間で弾性部材を圧縮変形させることができ、部分載置部材同士の結合箇所において黒板載置部を折り曲げるように変形させることができるので、壁面黒板固定基板が湾曲している場合でも、確実に黒板載置部を古い黒板に押し当てることができ、容易に貼り替え作業を行うことができる。
（５）連結金具の少なくとも左右いずれか一方の端部を部分載置部材に着脱自在に固定する結合部材を有するので、連結金具の左右いずれか一方の端部のみが結合部材により部分載置部材に固定されている場合は、連結金具の他方の端部を部分載置部材の裏面に当接させるだけで隣接する部分載置部材同士を結合箇所において折り曲げ可能に保持することができる。
（６）連結金具の左右両端部が結合部材により部分載置部材に固定されている場合でも、連結金具と少なくとも左右いずれか一方の結合部材の間に弾性部材が配設されていることにより、隣接する部分載置部材同士を結合箇所において折り曲げるように変形させることができる。
【００２１】
ここで、黒板載置部の分割数を増やし、部分載置部材の長手方向の寸法を短くすることにより、湾曲した壁面黒板固定基板への古い黒板の貼り替えを確実かつ効率よく行うことができ、作業性に優れる。
連結金具は、両端部にそれぞれ略円形や長孔状の連結孔が穿設され、ビス等の結合部材によりねじ止めされる。また、両端部の連結孔のいずれか一方を開口させて切欠き状に形成した場合、結合部材を少し緩めるだけで連結金具を摺動又は回動させ、容易に連結を解いて複数の部分載置部材に分割でき、作業性に優れる。
尚、連結金具と左右いずれか一方の結合部材の間に弾性部材が配設されている場合、連結金具の他方の端部を黒板載置部の上面側に折曲して係止部を形成することが好ましい。これにより、隣接する部分載置部材同士を強固に固定でき、部分載置部材の上下方向や左右方向の位置ずれ及び回動が発生するのを低減でき、新しい黒板の位置決め精度を向上させることができる。また、隣接する部分載置部材にそれぞれ２以上の連結金具を配設し、隣接する部分載置部材の連結金具を互いに接触させ、部分載置部材が前後に摺動しないようにしてもよい。一方の部分載置部材に配設した２つの連結金具で他方の部分載置部材に配設した１つの連結金具を挟むようにするか、少なくとも一方の部分載置部材に配設する連結金具を略コ字形に形成し他方の部分載置部材に配設した連結金具を挟むようにした場合、より確実に部分載置部材が前後に摺動するのを防止でき、位置決めの信頼性に優れる。
【００２２】
弾性部材としては、ポリウレタン樹脂や軟質性の合成ゴム、コイルばね等の弾性体を好適に用いることができる。
部分載置部材の長手方向の少なくとも一箇所に支持脚部を配設することが好ましい。これにより、複数の部分載置部材を連結させた際に、各々の部分載置部材に配設された支持脚部により黒板載置部全体を安定して支持することができる。尚、隣接する部分載置部材の内、少なくとも一方の部分載置部材には長手方向の両端に支持脚部を配設することが好ましい。これにより、隣接する部分載置部材間の当接側を確実に支持することができ、部分載置部材が回動するのを防止できる。また、長手方向の両端に支持脚部を有する部分載置部材は単独で黒板載置部として使用することができる。
黒板載置部に対し支持脚部を回動自在に軸支する支持脚軸支部を備えた場合、運搬時や未使用時に支持脚部を折り畳むことができ、運搬性、収納時の省スペース性に優れる。
また、支持脚軸支部により支持脚部を回動させ、黒板載置部の裏面側に折り畳むことができるので、貼り替え作業時に黒板保持具を古い黒板に押付ける際に、支持脚部が邪魔にならず、施工性を向上させることができる。
支持脚軸支部としては蝶番等の軸支手段が好適に用いられる。特に、支持脚軸支部が、立脚時や折り畳み時に支持脚部を固定して回動を防止するストッパー機構を有する場合、安全性、取扱い性に優れる。また、支持脚軸支部にストッパー機構を備える代りに、支持脚部にフック状の支持脚係止部材を配設し、黒板載置部に支持脚係止部材が係止される係止用突起を配設して、支持脚部の折り畳み時に支持脚係止部材を係止用突起に係止し、支持脚部を固定するようにしてもよい。
【００２３】
支持脚部が、管状部と、前記管状部に摺動自在に挿入された摺動脚部と、前記管状部と前記摺動脚部を固定する支持脚固定部と、を備えた場合、摺動脚部の位置を調整することにより、自在に支持脚部全体の長さを変更することができ、端部支持具や補助支持具の取付け高さに合わせて黒板保持具を略水平に安定して支持することができる。また、支持脚部が管状部に摺動脚部を挿入して摺動させるだけの簡単な構成であるため、部品点数が少なく、軽量で、黒板保持具を容易に持ち運ぶことができる。
管状部は軽量で機械的強度に優れる丸型や角型のパイプ等で形成するのが好ましい。管状部の側部には、ビスやピン等の支持脚固定部が螺合又は挿通され、支持脚固定部の端部が摺動脚部の側部に螺着、係合又は嵌合されることにより、管状部と摺動脚部が固定される。摺動脚部の側部の長手方向に予め複数の雌ねじ部や係合凹部、嵌合孔を形成することにより、高さ調整を行うことができる。
尚、摺動脚部が木製の場合には、特別な加工を行うことなく、任意の位置でビス等の支持脚固定部によりねじ止めすることができ、高さの微調整が容易で作業性、汎用性に優れる。
【００２４】
本発明の請求項８に記載の黒板貼り替え方法は、請求項１乃至７の内いずれか１項に記載の黒板貼り替え治具の端部支持具の固定部を前記壁面黒板固定基板又は前記壁面黒板固定基板の下端に配設された粉受の底面に新しい黒板の長手方向の両端位置でそれぞれ着脱自在に固定する端部支持具取付工程と、前記黒板保持具の前記支持脚部と対向する前記黒板載置部の端部を前記端部支持具の前記摺動案内部上に載置する黒板保持具載置工程と、前記黒板保持具の前記支持脚部により前記黒板載置部を支持する黒板載置部支持工程と、前記黒板保持具の前記黒板載置部の上面の所定位置に前記新しい黒板の筆記面を前記磁石により磁着する黒板磁着工程と、前記古い黒板の表面及び／又は前記新しい黒板の裏面に接着層を形成する接着層形成工程と、前記黒板載置部の前記支持脚部側の端部を上方に押し上げて前記黒板載置部を前記端部支持具の前記摺動案内部に直立させる黒板載置部回動工程と、前記黒板載置部を前記古い黒板側へ摺動させる黒板載置部摺動工程と、前記新しい黒板を前記古い黒板に押圧する黒板押圧工程と、を備えた構成を有している。
この構成により、以下のような作用を有する。
（１）端部支持具取付工程により、端部支持具の固定部を壁面黒板固定基板又は粉受の底面に新しい黒板の長手方向の両端位置でそれぞれ着脱自在に固定することができるので、新しい黒板の寸法、貼り替え位置に合わせて確実に黒板保持具を支持することができる。
（２）黒板保持具載置工程により、黒板保持具の支持脚部と対向する黒板載置部の端部を端部支持具の摺動案内部上に載置することができると共に、黒板載置部支持工程により、黒板保持具の支持脚部で黒板載置部を支持することができるので、黒板保持具を自立させることができ、一人又は少人数で貼り替え作業を行うことができる。
（３）黒板磁着工程により、黒板保持具の黒板載置部の上面の所定位置に新しい黒板の筆記面を磁着することができるので、確実に黒板保持具によって新しい黒板を保持することができ、簡便に移動や貼り替え作業を行うことができる。
（４）接着層形成工程により、古い黒板の表面及び／又は新しい黒板の裏面に接着層を形成することができるので、黒板載置部回動工程で黒板載置部を回動させ、黒板載置部摺動工程で黒板載置部を古い黒板側へ摺動させた後、黒板押圧工程で新しい黒板を古い黒板に押圧するだけで簡単かつ確実に黒板の貼り替えを行うことができ、新しい黒板の中央に空気溜まりが発生するのを防止できる。
（５）黒板保持具載置工程により、黒板載置部の端部が端部支持具の摺動案内部上に載置
されているので、黒板載置部回動工程において、黒板載置部の支持脚部側の端部を容易に上方に押し上げて端部支持具の摺動案内部に直立させることができる。
（６）黒板載置部摺動工程により、黒板載置部を古い黒板側へ摺動させることができるので、黒板載置部全面で新しい黒板を古い黒板に押圧することができる。
（７）黒板押圧工程により、新しい黒板を確実に押圧することができ、古い黒板に強固に接着することができ、剥離を防止できる。
【００２５】
ここで、端部支持具取付工程が側面位置決め部又は側面案内部による左右位置決め工程を備えた場合、予め側面位置決め部又は側面案内部により、容易に黒板の貼り替え位置を位置決めすることができ、黒板載置部回動工程及び黒板載置部摺動工程において、黒板載置部の両端を確実に貼り替え位置に案内することができ、位置ずれを発生させることなく、精度よく貼り替えを行なうことができる。
接着層形成工程では、接着剤を刷毛やローラで塗布したり、スプレーで噴霧したりする以外に、両面テープを貼り付けることにより、接着層を形成できる。特に、アクリル酸エステル系高濃度水性粘・接着剤は接着強度、耐熱性、耐水性に優れ、好適に用いることができる。また、トルエン等の粘・接着剤の溶剤により、粘・接着剤を除去することができるので、古い黒板を剥がして新しい黒板と貼り替えることができ、古い黒板をリサイクルすることができる。
黒板押圧工程において、新しい黒板の表面をローラ等の押圧器具により隅々まで押圧することにより、確実な接着を行うことができ、接着層の耐久性に優れる。
【００２６】
請求項９に記載の発明は、請求項８に記載の黒板貼り替え方法であって、１以上の前記補助支持具を前記壁面黒板固定基板又は前記壁面黒板固定基板の下端に配設された粉受の底面に長手方向の任意位置で着脱自在に固定する補助支持具取付工程を備えた構成を有している。
この構成により、請求項８の作用に加え、以下のような作用を有する。
（１）補助支持具取付工程により、壁面黒板固定基板又は粉受の底面に長手方向の任意位置で１以上の補助支持具が着脱自在に固定されるので、大型の黒板や湾曲した壁面黒板固定基板に対し黒板の貼り替えを行う際に、黒板載置部の長手方向の要所を支持することができ、黒板保持具の摺動時に確実に案内することができる。
ここで、端部支持具取付工程及び補助支持具取付工程が、固定部に対し摺動案内部を上下に移動させて高さ調整する摺動案内高さ調整工程を備えた場合、摺動案内部を粉受の上面や古い黒板の下端に位置合わせして精度よく貼り替えを行なうことができ、信頼性、汎用性に優れる。
【発明の効果】
【００２７】
以上のように、本発明の黒板貼り替え治具及びそれを用いた黒板貼り替え方法によれば、以下のような有利な効果が得られる。
請求項１に記載の発明によれば、以下のような効果を有する。
（１）壁面黒板固定基板又は壁面黒板固定基板の下端に配設された粉受の底面に着脱自在に固定される端部支持具と、新しい黒板を保持し端部支持具に端部が載置される黒板保持具が別々に形成されているので、新しい黒板の寸法や形状に応じて種類の異なる端部支持具と黒板保持具を組合せて使用することができると共に、小型で軽量な端部支持具のみを独立して壁面黒板固定基板等の底面に容易に位置決め固定することができる汎用性、施工性に優れた黒板貼り替え治具を提供することができる。
（２）端部支持具が固定部に延設又は着脱自在に配設された摺動案内部を有するので、黒板保持具の端部を載置することができ、容易に黒板保持具を回動させて摺動案内部上に直立させることができ、黒板保持具を摺動案内部に沿って摺動させ古い黒板の表面に押付けることができる施工性に優れた黒板貼り替え治具を提供することができる。
（３）黒板保持具の黒板載置部が略矩形板状又は略矩形枠状に形成されているので、貼り替えを行う黒板に合わせて寸法を選択することにより、安定して新しい黒板を支持することができると共に、新しい黒板を古い黒板の表面に押付ける際に全面又は外周の四辺を確実に押圧することができる信頼性、施工性に優れた黒板貼り替え治具を提供することができる。
（４）端部支持具と黒板保持具が別々に形成され、黒板保持具に新しい黒板を磁着する磁石が配設されているので、壁面黒板固定基板の周囲に十分なスペースがない場合、端部支持具の取付けと黒板保持具への新しい黒板の磁着を別の場所で行うことができ、黒板保持具を立てて搬入しても新しい黒板の位置ずれが発生することがなく、貼り替え作業を行うことができる汎用性、施工性に優れた黒板貼り替え治具を提供することができる。
（５）端部支持具を独立して壁面黒板固定基板等の底面の任意の位置に固定することができるので、並設されたニ面以上の黒板の内、貼り替えが必要な黒板のみを選択して貼り替え作業を行うことができる汎用性、施工性に優れた黒板貼り替え治具を提供することができる。
【００２８】
請求項２に記載の発明によれば、請求項１の効果に加え、以下のような効果を有する。
（１）壁面黒板固定基板や粉受の底面に長手方向の任意位置に着脱自在に固定される１以上の補助支持具を有することで、大型の黒板や湾曲した壁面黒板固定基板に対し黒板の貼り替えを行う際に、黒板載置部の長手方向の要所を支持することができ、黒板保持具の摺動時に確実に案内することができる汎用性、信頼性に優れた黒板貼り替え治具を提供することができる。
【００２９】
請求項３に記載の発明によれば、請求項１又は２の効果に加え、以下のような効果を有する。
（１）端部支持具及び補助支持具の摺動案内部が、固定部に延設されて形成されているので、固定部と摺動案内部を一体に形成することができ、部品点数が少なく、生産性、取扱い性に優れた黒板貼り替え治具を提供することができる。
（２）端部支持具及び補助支持具の固定部と摺動案内部が一体に形成されていることにより、固定部と摺動案内部を固定する固定手段や位置決め作業が不要となり、固定部を位置決め固定するだけで摺動案内部により確実に黒板保持具を支持、案内することができる施工性に優れた黒板貼り替え治具を提供することができる。
（３）摺動案内部が、固定部に延設され壁面黒板固定基板の前方に水平方向に突出して形成されているので、壁面黒板固定基板の底面に直接、取付けることによって黒板保持具を支持、案内することができる施工性に優れた黒板貼り替え治具を提供することができる。
【００３０】
請求項４に記載の発明によれば、請求項３の効果に加え、以下のような効果を有する。
（１）端部支持具の摺動案内部の左右いずれか一方の端部に側面位置決め部が立設されているので、黒板保持具の黒板載置部の両端を確実に案内することができ、左右方向の位置ずれを発生させることなく黒板保持具を摺動案内部上で摺動させることができる施工性、信頼性に優れた黒板貼り替え治具を提供することができる。
（２）摺動案内部の端部に側面位置決め部が立設されているので、固定部の上面を壁面黒板固定基板の底面に当接させた状態で、側面位置決め部の端面を古い黒板の表面に押し当てることができ、壁面黒板固定基板の長手方向の任意の位置で容易に位置決めを行うことができ、確実に端部支持具の取付けを行うことができる施工性、汎用性に優れた黒板貼り替え治具を提供することができる。
【００３１】
請求項５に記載の発明によれば、請求項１又は２の効果に加え、以下のような効果を有する。
（１）端部支持具及び補助支持具が、固定部の端部に垂設された垂直固定部と、摺動案内部の端部に垂設された垂直支持部を有するので、固定部の垂直固定部に摺動案内部の垂直支持部を当接させることにより、固定部で摺動案内部を案内することができ、摺動案内部を水平に保持することができ、精度のよい貼り替え作業を行うことができる施工性、信頼性に優れた黒板貼り替え治具を提供することができる。
（２）垂直固定部に垂直固定孔が穿設され、垂直支持部に垂直位置決め孔が穿設されているので、支持具固定部により容易に固定部と摺動案内部の高さを調整して固定することができ、端部支持具及び補助支持具の分解、組立てを簡便に行うことができる施工性、取扱い性に優れた黒板貼り替え治具を提供することができる。
（３）垂直固定孔及び垂直位置決め孔により、固定部と摺動案内部の高さを自在に調整できるので、壁面黒板固定基板から粉受が取外せない場合や壁面黒板固定基板と古い黒板の下端がずれている場合でも、摺動案内部を粉受の上面や古い黒板の下端に容易に位置合わせすることができ、確実に黒板保持具を案内して貼り替え作業を行うことができる信頼性、汎用性に優れた黒板貼り替え治具を提供することができる。
【００３２】
請求項６に記載の発明によれば、請求項５の効果に加え、以下のような効果を有する。
（１）端部支持具の固定部又は摺動案内部の左右いずれか一方の端部に側面案内部が立設されているので、黒板保持具の黒板載置部の両端を確実に案内することができ、左右方向の位置ずれを発生させることなく黒板保持具を摺動案内部上で摺動させることができる信頼性、施工性に優れた黒板貼り替え治具を提供することができる。
【００３３】
請求項７に記載の発明によれば、請求項１乃至６の内いずれか１項の効果に加え、以下のような効果を有する。
（１）黒板載置部が長手方向に複数の部分載置部材に分割され、隣接する部分載置部材が連結金具を介して結合部材で着脱自在に固定されているので、容易に部分載置部材の連結、分割を行うことができ、長手方向の寸法が異なる黒板に対応して貼り替えを行うことができる汎用性、機能性に優れた黒板貼り替え治具を提供することができる。
（２）複数の部分載置部材が結合部材により着脱自在に固定されているので、容易に分割することができ、コンパクト化して手軽に運搬や収納などを行うことができる運搬性、省スペース性に優れた黒板貼り替え治具を提供することができる。
（３）部分載置部材を結合部材で固定するための連結金具が部分載置部材の裏面に渡設されているので、黒板載置部の上面に突起や段差などがなく、新しい黒板を安定して載置、磁着して保持することができる信頼性、施工性に優れた黒板貼り替え治具を提供することができる。
（４）連結金具と少なくとも左右いずれか一方の結合部材の間に弾性部材が配設されていることにより、連結金具と結合部材の間で弾性部材を圧縮変形させることができ、部分載置部材同士の結合箇所において黒板載置部を折り曲げるように変形させることができるので、壁面黒板固定基板が湾曲している場合でも、確実に黒板載置部を古い黒板に押し当てることができ、容易に貼り替え作業を行うことができる汎用性、施工性に優れた黒板貼り替え治具を提供することができる。
（５）連結金具の少なくとも左右いずれか一方の端部を部分載置部材に着脱自在に固定する結合部材を有するので、連結金具の左右いずれか一方の端部のみが結合部材により部分載置部材に固定されている場合は、連結金具の他方の端部を部分載置部材の裏面に当接させるだけで隣接する部分載置部材同士を結合箇所において折り曲げ可能に保持することができる施工性、取扱い性に優れた黒板貼り替え治具を提供することができる。
（６）連結金具の左右両端部が結合部材により部分載置部材に固定されている場合でも、連結金具と少なくとも左右いずれか一方の結合部材の間に弾性部材が配設されていることにより、隣接する部分載置部材同士を結合箇所において折り曲げるように変形させることができるので、壁面黒板固定基板が湾曲していても、確実に黒板載置部を古い黒板に押し当てることができ、容易に貼り替え作業を行うことができる汎用性、施工性に優れた黒板貼り替え治具を提供することができる。
【００３４】
請求項８に記載の発明によれば、以下のような効果を有する。
（１）端部支持具取付工程により、端部支持具の固定部を壁面黒板固定基板又は粉受の底面に新しい黒板の長手方向の両端位置でそれぞれ着脱自在に固定することができるので、古い黒板の寸法、貼り替え位置に合わせて確実に黒板保持具を支持することができる信頼性に優れた黒板貼り替え方法を提供することができる。
（２）黒板磁着工程により、黒板保持具の黒板載置部の上面の所定位置に新しい黒板の筆記面を磁着することができるので、確実に黒板保持具によって新しい黒板を保持することができ、簡便に移動や貼り替え作業を行うことができる信頼性、施工性に優れた黒板貼り替え方法を提供することができる。
（３）黒板保持具載置工程により、黒板保持具の支持脚部と対向する黒板載置部の端部を端部支持具の摺動案内部上に載置することができると共に、黒板載置部支持工程により、黒板保持具の支持脚部で黒板載置部を支持することができるので、黒板保持具を自立させることができ、一人又は少人数で貼り替え作業を行うことができる施工性に優れた黒板貼り替え方法を提供することができる。
（４）接着層形成工程により、古い黒板の表面及び／又は新しい黒板の裏面に接着層を形成することができるので、黒板載置部回動工程で黒板載置部を回動させ、黒板載置部摺動工程で黒板載置部を古い黒板側へ摺動させた後、黒板押圧工程で新しい黒板を押圧するだけで簡単かつ確実に黒板の貼り替えを行うことができ、新しい黒板の中央に空気溜まりが発生するのを防止できる信頼性、施工性に優れた黒板貼り替え方法を提供することができる。
（５）黒板保持具載置工程により、黒板載置部の端部が端部支持具の摺動案内部上に載置
されているので、黒板載置部回動工程において、黒板載置部の支持脚部側の端部を容易に上方に押し上げて端部支持具の摺動案内部に直立させることができる施工性に優れた黒板貼り替え方法を提供することができる。
（６）黒板載置部摺動工程により、黒板載置部を古い黒板側へ摺動させることができるので、黒板載置部全面で新しい黒板を古い黒板に押圧することができる施工性に優れた黒板貼り替え方法を提供することができる。
（７）黒板押圧工程により、新しい黒板を確実に押圧することができ、古い黒板に強固に接着することができ、剥離を防止できる信頼性、耐久性に優れた黒板貼り替え方法を提供することができる。
【００３５】
請求項９に記載の発明によれば、請求項８の効果に加え、以下のような効果を有する。
（１）補助支持具取付工程により、壁面黒板固定基板又は粉受の底面に長手方向の任意位置で１以上の補助支持具が着脱自在に固定されるので、大型の黒板や湾曲した壁面黒板固定基板に対し黒板の貼り替えを行う際に、黒板載置部の長手方向の要所を支持することができ、黒板保持具の摺動時に確実に案内することができる信頼性、汎用性に優れた黒板貼り替え方法を提供することができる。
【発明を実施するための最良の形態】
【００３６】
以下、本発明の実施の形態について、図面を用いて説明する。
（実施の形態１）
図１（ａ）は実施の形態１における黒板貼り替え治具の端部支持具及び補助支持具を示す斜視図であり、図１（ｂ）は実施の形態１における黒板貼り替え治具の黒板保持具を示す斜視図であり、図１（ｃ）は図１（ｂ）におけるＡ−Ａ線矢視図である。
図１中、１ａ、１ｂは左右一組で使用される実施の形態１における黒板貼り替え治具の端部支持具、２は黒板の貼り替えを行う壁面黒板固定基板又は粉受の底面に新しい黒板の長手方向の両端位置でそれぞれ着脱自在に固定される端部支持具１ａ、１ｂの固定部、３は固定部２に複数穿設された端部支持具１ａ、１ｂの固定部取付孔、４は固定部３に延設された端部支持具１ａ、１ｂの摺動案内部、５ａ、５ｂは端部支持具１ａ、１ｂの摺動案内部４の左右の一方の端部に立設された側面位置決め部、６は実施の形態１における黒板貼り替え治具の補助支持具、７は黒板の貼り替えを行う壁面黒板固定基板又は粉受の底面に新しい黒板の長手方向の任意位置で着脱自在に固定される補助支持具６の固定部、８は固定部７に複数穿設された補助支持具６の固定部取付孔、９は固定部７に延設された補助支持具６の摺動案内部、１０は実施の形態１における黒板貼り替え治具の黒板保持具、１１は略矩形枠状に形成され長手方向に分割された複数の部分載置部材１１ａを有し一端部が端部支持具１ａ、１ｂ及び補助支持具６の摺動案内部４、９上に載置される黒板載置部、１２は黒板載置部１１の上面の所定位置に複数配設され新しい黒板の筆記面を磁着する磁石、１３は黒板載置部１１の両端部及び略中央部にそれぞれ蝶番等の支持脚軸支部１３ａにより回動自在に軸支された支持脚部、１３ｂは支持脚部１３の管状部、１３ｃは管状部１３ｂに摺動自在に挿入された摺動脚部、１３ｄは支持脚部１３に回動自在に配設されたフック状の支持脚係止部材、１３ｅは部分載置部材１１ａの側部に配設され支持脚部１３を折り畳んだ際に支持脚係止部材１３ｄが係止される係止用突起、１４は管状部１３ｂと摺動脚部１３ｃを固定するビス等の支持脚固定部、１５は互いに隣接する部分載置部材１１ａ、１１ａ間の当接側の裏面に渡設された連結金具、１５ａは連結金具１５の両端部にそれぞれ略円形や長孔状に穿設された連結孔、１５ｂは連結金具１５の一端部を黒板載置部１１の上面側に折曲して形成した係止部、１６は両端部の連結孔１５ａ、１５ａにそれぞれ挿通され隣接する部分載置部材１１ａ、１１ａにねじ止めされ着脱自在に固定されるビス等の結合部材、１７は連結金具１５と一方の結合部材１６の間に押え金具１８を介して配設されたポリウレタン樹脂や軟質性の合成ゴム等の弾性部材である。
【００３７】
端部支持具１ａ、１ｂ及び補助支持具６は、アルミニウム製やアルミニウム合金製等の軽量で機械的強度を有する材質で形成した。これにより、取扱い性、耐久性を向上させている。
端部支持具１ａ、１ｂ及び補助支持具６の固定部取付孔３、８は黒板の貼り替えを行う壁面黒板固定基板の長手方向に2以上穿設した。これにより、固定部２、７をビスで壁面黒板固定基板又は粉受に強固に固定でき、摺動案内部４、９上で黒板保持具１０を摺動させる際に、端部支持具１ａ、１ｂ及び補助支持具６が回転することがなく、確実に黒板保持具１０を支持、案内することができる。尚、壁面黒板固定基板の表面が湾曲している場合、端部支持具１ａ、１ｂの固定部取付孔３を壁面黒板固定基板の曲面に沿うように壁面黒板固定基板の長手方向に対し斜め又は円弧状に並べて配置してもよく、端部支持具１ａ、１ｂを確実に壁面黒板固定基板又は粉受に固定できる。
また、固定部取付孔３、８を壁面黒板固定基板の長手方向と平行又は直角方向に長孔状に形成した場合、端部支持具１ａ、１ｂ及び補助支持具６の取付け位置を左右又は前後方向に容易に調整することができ、作業性に優れる。
補助支持具６の摺動案内部９の長さは、端部支持具１ａ、１ｂの摺動案内部４の長さよりも長めに形成した。これにより、湾曲した壁面黒板固定基板に対し黒板の貼り替えを行う際に、黒板載置部１１の長手方向の中央部等の要所を確実に支持することができ、施工性に優れる。
【００３８】
黒板保持具１０の黒板載置部１１はアルミニウム製や木製等の軽量で機械的強度を有する材質で形成した。これにより、耐久性及び搬送時の作業性を向上させている。また、黒板載置部１１を枠状に形成したので、より軽量で取扱い性に優れる。黒板載置部１１の枠の内側に１乃至複数の横桟や縦桟を配設した場合、黒板載置部１１を補強して変形や破損を防止できる。また、横桟や縦桟に手を掛けることができ、搬送性、取扱い性をさらに向上させることができる。特に、横桟や縦桟をねじ止めや嵌合等により取付けた場合、搬送時や貼り替え作業時の必要に応じて着脱することができ、取扱い性、作業性を向上できる。尚、黒板載置部１１は板状に形成して強度を向上させてもよい。この場合、黒板載置部１１の裏面に横桟や縦桟を配設し、搬送性、取扱い性を向上させることができる。
黒板載置部１１の大きさは、壁面黒板固定基板の寸法より若干、小さくなるように形成した。これにより、壁面黒板固定基板の寸法誤差を吸収することができ、黒板載置部１１で新しい黒板を古い黒板の表面に押付けた際に、黒板載置部１１と壁面黒板固定基板の外周の黒板保持枠が干渉することがなく、位置決めの確実性に優れる。
【００３９】
一般的な黒板の長手方向の寸法は、９００ｍｍの整数倍に形成されているので、部分載置部材１１ａとして９００ｍｍと１８００ｍｍに対応するものを用意し、それらを組合せることにより２７００ｍｍ、３６００ｍｍ、或いはそれ以上の大きさに対応できる黒板載置部１１を形成した。
尚、黒板載置部１１の分割数を増やし、部分載置部材１１ａの長手方向の寸法を短くすることにより、湾曲した壁面黒板固定基板への黒板の貼り替えを確実かつ効率よく行うことができ、作業性に優れる。また、部分載置部材１１ａは長手方向に伸縮可能に形成してもよい。これにより、規格外の大きさの黒板に対しても長さを調整して使用することができ、より汎用性を向上させることができる。
【００４０】
支持脚部１３は各々の部分載置部材１１ａの長手方向に少なくとも一箇所以上、配設した。これにより、複数の部分載置部材１１ａを連結させた際に、各々の部分載置部材１１ａの支持脚部１３により黒板載置部１１を支持することができる。
支持脚部１３に回動自在に配設された支持脚係止部材１３ｄを有するので、支持脚部１３を折り畳んだ際に支持脚係止部材１３ｄを係止用突起１３ｅに係止して固定することができる。これにより、貼り替え作業時に黒板保持具１０を古い黒板に押付ける際や運搬時に、支持脚部１３が邪魔にならず、施工性、取扱い性を向上させることができる。支持脚係止部材１３ｄや係止用突起１３ｅの代りに支持脚軸支部１３ａにストッパー機構を備えた場合、折り畳み時だけでなく立脚時にも支持脚部１３を固定することができ、使用時や運搬時に支持脚部１３の回動を防止でき、安全性、取扱い性に優れる。
支持脚部１３の管状部１３ｂはアルミニウム等の金属製の丸型や角型のパイプで形成した。これにより、管状部１３ｂを軽量化できると共に強度を確保することができる。摺動脚部１３ｃは支持脚部１３と同様の金属製や木製とした。摺動脚部１３ｃが木製の場合、軽量で低コスト性、加工性に優れる。
ビスやピン等の支持脚固定部１４は、管状部１３ｂの側部に螺合又は挿通し、その端部を摺動脚部１３ｃの側部に螺着、係合又は嵌合することにより、管状部１３ｂと摺動脚部１３ｃを固定する。摺動脚部１３ｃの側部の長手方向に予め複数の雌ねじ部や係合凹部、嵌合孔を形成することにより、容易に高さ調整を行うことができる。
尚、摺動脚部１３ｃが木製の場合には、特別な加工を行うことなく、任意の位置でビス等の支持脚固定部１４によりねじ止めすることができ、高さの微調整が容易で作業性、汎用性に優れる。
【００４１】
連結金具１５は、両端部にそれぞれ略円形や長孔状の連結孔１５ａが穿設され、ビス等の結合部材１６によりねじ止めされる。連結金具１５の弾性部材１７が配設されない側の一端に形成した係止部１５ｂを枠状に形成された部分載置部材１１ａの内周面に当接させて係止することにより、隣接する部分載置部材１１ａ、１１ａ同士の位置ずれや回動を低減している。
係止部１５ｂを形成せず、両端部の連結孔１５ａのいずれか一方を開口させて切欠き状に形成した場合、結合部材１６を少し緩めるだけで連結金具１５を摺動又は回動させ、容易に連結を解いて複数の部分載置部材１１ａに分割でき、作業性に優れる。
弾性部材１７としては、ポリウレタン樹脂や軟質性の合成ゴムの他にコイルばね等の弾性体を用いることができる。弾性部材１７と結合部材１６の間には押え金具１８を配設した。これにより、確実に弾性部材１７を圧縮して弾性変形させることができ、部分載置部材１１ａ、１１ａ同士の結合箇所において容易に黒板載置部１１を折り曲げる（屈折させる）ように変形させることができるので、湾曲した壁面黒板固定基板への黒板の位置決めを簡単かつ確実に行うことができる。
【００４２】
以上のように形成された実施の形態１の黒板貼り替え治具を用いた黒板貼り替え方法について、図面を用いて説明する。
図２（ａ）は黒板保持枠に端部支持具及び補助支持具を取付けた状態を示す斜視図であり、図２（ｂ）は黒板保持枠に端部支持具及び補助支持具を取付けた状態を示す側面図であり、図３は黒板保持具の載置状態を示す斜視図であり、図４は黒板保持具の直立状態を示す斜視図である。
図２中、５０は壁面黒板固定基板５１の外周に配設されたアルミニウム製や木製の黒板保持枠、５１ａは壁面黒板固定基板５１の底面、５２は壁面黒板固定基板５１の表面に固定された古い黒板、５３は端部支持具１ａ、１ｂ及び補助支持具６を壁面黒板固定基板５１の底面５１ａに着脱自在に固定する固定ねじである。
【００４３】
まず、図２に示すように、端部支持具取付工程において、端部支持具１ａ、１ｂの固定部２を壁面黒板固定基板５１の底面５１ａに押し当て、固定部取付孔３で固定ねじ５３により固定する。
本実施の形態では古い黒板５２の全面を貼り替えるので、端部支持具１ａ、１ｂを壁面黒板固定基板５１の両端位置に固定したが、新しい黒板の長さや貼り替え位置に応じて、端部支持具１ａ、１ｂの取付け位置を変更する。このとき、側面位置決め部５ａ、５ｂによる左右位置決め工程を備えた場合、新しい黒板の長手方向の両端位置を貼り替え位置に合わせて容易に位置決めすることができ施工性に優れる。
次に、補助支持具取付工程において、補助支持具６の固定部７を壁面黒板固定基板５１の底面５１ａに押し当て、固定部取付孔８を固定ねじ５３で固定する。補助支持具６は新しい黒板の幅や貼り替え位置に応じて、壁面黒板固定基板５１の長手方向の任意の位置に任意の数だけ取付ける。尚、新しい黒板の幅が短く、端部支持具１ａ、１ｂのみで黒板保持具１０を支持できる場合には、補助支持具６は取付けなくてもよい。
【００４４】
次に、図３に示すように黒板保持具載置工程において、黒板保持具１０の支持脚部１３と対向する黒板載置部１１の端部を端部支持具１ａ、１ｂの摺動案内部４及び補助支持具６の摺動案内部９上に載置すると共に、黒板載置部支持工程において、黒板保持具１０の支持脚部１３で黒板載置部１１を支持し、黒板保持具１０を自立させる。このとき、支持脚部１３の管状部１３ｂに摺動自在に挿入された摺動脚部１３ｃの位置を調整し、支持脚部１３全体の長さを変更して支持脚固定部１４で固定する支持脚高さ調整工程を有することにより、端部支持具１ａ、１ｂや補助支持具６の取付け高さに合わせて黒板保持具１０を略水平に安定して支持することができる。
その後、黒板磁着工程において、黒板保持具１０の黒板載置部１１の上面の所定位置に新しい黒板５４の筆記面を磁石１２により磁着する。
さらに、接着層形成工程において、古い黒板５２の表面（筆記面）及び／又は新しい黒板５４の裏面に接着層を形成する。接着層はアクリル酸エステル系高濃度水性粘・接着剤を刷毛塗りやハンドローラによりダイレクト塗工するか或いは剥離紙から転写して形成した。粘・接着剤を使用して接着を行なった場合、次回の貼り替え作業時に古い黒板５２を剥離して新しい黒板５４に貼り替えることができ、古い黒板５２をリサイクルすることができる。この他に接着剤をスプレーで噴霧したり、両面テープを貼り付けることによっても接着層を形成できる。
尚、古い黒板５２の表面に接着層を形成する場合、接着層形成工程は黒板保持具載置工程の前に行ってもよい。これにより、黒板保持具１０が邪魔にならず、施工性に優れる。
【００４５】
次に、図４に示すように黒板載置部回動工程において、黒板載置部１１の支持脚部１３側の端部を上方に押し上げて黒板載置部１１を端部支持具１ａ、１ｂの摺動案内部４及び補助支持具６の摺動案内部９上に直立させ、新しい黒板５４の裏面と古い黒板５２の表面を対向させる。
その後、黒板載置部摺動工程において、黒板載置部１１を古い黒板５２側へ摺動させ、新しい黒板５４を古い黒板５２の表面に押し当てる。このとき、支持脚軸支部１３ａにより支持脚部１３を回動させ、黒板載置部１１の裏面側に折り畳むと共に、支持脚係止部材１３ｄを係止用突起１３ｅに係止して支持脚部１３を固定することができる。これにより、貼り替え作業時に黒板保持具１０を古い黒板に押付ける際に、支持脚部１３が邪魔にならず、施工性に優れる。
最後に、黒板押圧工程において、新しい黒板５４の表面をローラ等の押圧器具により隅々まで押圧し、新しい黒板５４の接着が完了する。
黒板押圧工程は、黒板載置部１１が枠状に形成されている場合、新しい黒板５４から黒板保持具１０を取外さずに行うことができる。尚、新しい黒板５４は黒板載置部摺動工程によって仮接着されるので、黒板保持具１０を取外してから黒板押圧工程を行うこともできる。
貼り替え作業終了後は、端部支持具１ａ、１ｂ及び補助支持具６を取外し回収することができるので、繰返し使用することができ、省資源性に優れる。
【００４６】
尚、本実施の形態では、全ての工程を一箇所で行ったが、壁面黒板固定基板５１の前方に十分なスペースがなく、黒板保持具１０の端部を端部支持具１ａ、１ｂ及び補助支持具６に載置し、黒板載置部１１を支持することができない場合、黒板保持具１０の搬入前に端部支持具取付工程及び補助支持具取付工程により端部支持具１ａ、１ｂ及び補助支持具６のみを配設固定すると共に、接着層形成工程を行う。別の場所で黒板磁着工程を行い、黒板保持具１０を立てた状態で搬入し、図４に示すように黒板保持具１０を端部支持具１ａ、１ｂ及び補助支持具６上に直立させ、黒板載置部摺動工程から行うことができる。
また、古い黒板５２の表面外周に押え縁が配設されている場合は、予め押え縁を取外してから貼り替えを行い、貼り替え作業終了後に押え縁を元に戻す。
更に、古い黒板５２が剥離可能である場合は、端部支持具取付工程の前に剥離工程を行う。剥離工程は、黒板剥離工程と壁面黒板固定基板清掃工程を有する。黒板剥離工程において古い黒板５２を剥離した後、壁面黒板固定基板清掃工程において壁面黒板固定基板５１の表面に付着したゴミや接着層を除去する。接着層が粘・接着剤で形成されている場合は、粘・接着剤を溶解する溶剤により除去することができる。壁面黒板固定基板５１の表面を清掃することにより、壁面黒板固定基板５１と新しい黒板５４を強固に接着することができ、接着層の耐久性に優れる。
【００４７】
以上のように実施の形態１における黒板貼り替え治具によれば、以下の作用を有する。
（１）壁面黒板固定基板５１の底面５１ａに着脱自在に固定される端部支持具１ａ、１ｂと、新しい黒板５４を保持し端部支持具１ａ、１ｂに端部が載置される黒板保持具１０が別々に形成されているので、新しい黒板５４の寸法や形状に応じて種類の異なる端部支持具１ａ、１ｂと黒板保持具１０を組合せて使用することができ汎用性に優れると共に、小型で軽量な端部支持具１ａ、１ｂのみを独立して壁面黒板固定基板５１の底面５１ａに容易に位置決め固定することができ施工性に優れる。
（２）端部支持具１ａ、１ｂが固定部２を有するので、壁面黒板固定基板５１の底面５１ａに容易に着脱することができる。
（３）端部支持具１ａ、１ｂが固定部２に延設された摺動案内部４を有するので、黒板保持具１０の端部を載置することができ、容易に黒板保持具１０を回動させて摺動案内部４上に直立させることができ、黒板保持具１０を摺動案内部４に沿って摺動させ壁面黒板固定基板５１の表面に固定された古い黒板５２に押付けることができる。
（４）黒板保持具１０の黒板載置部１１が略矩形板状又は略矩形枠状に形成されているので、新しい黒板５４に合わせて寸法を選択することにより、安定して新しい黒板５４を支持することができると共に、新しい黒板５４を古い黒板５２の表面に押付ける際に全面又は外周の四辺を確実に押圧することができる。
（５）黒板載置部１１の上面の所定位置に新しい黒板５４の筆記面を磁着する磁石１２を有するので、確実に新しい黒板５４を保持することができ、黒板保持具１０を回動させたり、摺動させたりする際に新しい黒板５４の位置がずれることがなく、精度よく位置決めして貼り替えを行うことができる。
（６）端部支持具１ａ、１ｂと黒板保持具１０が別々に形成され、黒板保持具１０に新しい黒板５４を磁着する磁石１２が配設されているので、壁面黒板固定基板５１の周囲に十分なスペースがない場合、端部支持具１ａ、１ｂの取付けと黒板保持具１０への新しい黒板５４の磁着を別の場所で行うことができ、黒板保持具１０を立てて搬入しても新しい黒板５４の位置ずれが発生することがなく、貼り替え作業を行うことができる。
（７）黒板載置部１１の一端部の長手方向に支持脚部１３が２以上配設されているので、支持脚部１３と対向する黒板載置部１１の他端部を端部支持具１ａ、１ｂに載置させた際に、黒板保持具１０を自立させることができ、一人又は少人数で貼り替え作業を行うことができる。
（８）端部支持具１ａ、１ｂを独立して壁面黒板固定基板５１の底面５１ａの任意の位置に固定することができるので、並設されたニ面以上の黒板の内、貼り替えが必要な黒板のみを選択して貼り替え作業を行うことができる。
（９）黒板保持具１０の各部をアルミニウム製や木製等の軽量で機械的強度を有する材質で形成することにより、搬送時の作業性を向上させることができる。特に、黒板載置部１１を枠状に形成した場合、より軽量で搬送性、取扱い性に優れる。
（１０）黒板載置部１１の大きさを壁面黒板固定基板５１の寸法より若干、小さ目に形成することにより、壁面黒板固定基板５１の寸法誤差を吸収することができ、黒板載置部１１で新しい黒板５４を古い黒板５２の表面に押付けた際に、黒板載置部１１と壁面黒板固定基板５１の外周の黒板保持枠５０が干渉することがなく、位置決めの確実性に優れる。
（１１）壁面黒板固定基板５１の底面５１ａに長手方向の任意位置に着脱自在に固定される１以上の補助支持具６を有することで、大型の黒板や湾曲した壁面黒板固定基板５１への黒板の貼り替えを行う際に、黒板載置部１１の長手方向の要所を支持することができ、黒板保持具１０の摺動時に確実に案内することができる。
（１２）補助支持具６が固定部７を有するので、壁面黒板固定基板５１の底面５１ａに容易に着脱することができる。
（１３）補助支持具６が固定部７に延設された摺動案内部９を有するので、黒板保持具１０の端部を載置することができ、直立させた黒板保持具１０を確実に支持することができ、黒板保持具１０を摺動案内部９に沿って摺動させ古い黒板５２の表面に押付けることができる。
（１４）補助支持具６の摺動案内部９の長さを端部支持具１ａ、１ｂの摺動案内部４の長さよりも長めに形成することにより、湾曲した壁面黒板固定基板５１に対し黒板の貼り替えを行う際に、黒板載置部１１の長手方向の中央部等の要所を確実に支持することができ、施工性に優れる。
（１５）端部支持具１ａ、１ｂ及び補助支持具６の固定部２、７に固定部取付孔３、８が穿設されているので、ねじ止めにより容易に固定することができ、着脱自在性に優れる。
（１６）端部支持具１ａ、１ｂの摺動案内部４及び補助支持具６の摺動案内部９が、固定部２、７に延設されて形成されているので、固定部２、７と摺動案内部４、９を一体に形成することができ、部品点数が少なく、生産性に優れる。
（１７）端部支持具１ａ、１ｂの固定部２、７と摺動案内部４、９が一体に形成されていることにより、固定部２、７と摺動案内部４、９を固定する固定手段や位置決め作業が不要となり、固定部２、７を位置決め固定するだけで摺動案内部４、９により確実に黒板保持具１０を支持、案内することができる。
（１８）摺動案内部４、９が、固定部２、７に延設され壁面黒板固定基板５１の前方に水平方向に突出して形成されているので、壁面黒板固定基板５１の底面５１ａに直接、取付けることによって黒板保持具１０を支持、案内することができる。
（１９）固定部取付孔３、８を壁面黒板固定基板５１の長手方向に2以上穿設することにより、固定部２、７を強固に固定でき、摺動案内部４、９上で黒板保持具１０を摺動させる際に、端部支持具１ａ、１ｂ及び補助支持具６が回転することがなく、確実に黒板保持具１０を支持、案内することができる。
（２０）端部支持具１ａ、１ｂの摺動案内部４の左右の一方の端部に側面位置決め部５ａ、５ｂが立設されているので、黒板保持具１０の黒板載置部１１の両端を案内することができ、左右方向の位置ずれを発生させることなく黒板保持具１０を摺動案内部４、９上で摺動させることができる。
（２１）端部支持具１ａ、１ｂの摺動案内部４の端部に側面位置決め部５ａ、５ｂが立設されているので、固定部２の上面を壁面黒板固定基板５１の底面５１ａに当接させた状態で、側面位置決め部５ａ、５ｂの端面を古い黒板５２の表面に押し当てることができ、壁面黒板固定基板５１の長手方向の任意の位置で容易に位置決めを行うことができ、確実に端部支持具１ａ、１ｂの取付けを行うことができる。
（２２）黒板載置部１１が長手方向に複数の部分載置部材１１ａに分割され、隣接する部分載置部材１１ａが連結金具１５を介して結合部材１６で着脱自在に固定されているので、容易に部分載置部材１１ａの連結、分割を行うことができ、長手方向の寸法が異なる黒板に対応して貼り替えを行うことができる。
（２３）複数の部分載置部材１１ａが結合部材により着脱自在に固定されているので、容易に分割することができ、コンパクト化して手軽に運搬や収納などを行うことができる。
（２４）部分載置部材１１を結合部材１６で固定するための連結金具１５が部分載置部材１１ａの裏面に渡設されているので、黒板載置部１１の上面に突起や段差などがなく、新しい黒板５４を安定して載置、磁着して保持することができる。
（２５）連結金具１５と少なくとも左右いずれか一方の結合部材１６の間に弾性部材１７が配設されていることにより、連結金具１５と結合部材１６の間で弾性部材を圧縮変形させることができ、部分載置部材１１ａ同士の結合箇所において黒板載置部１１を折り曲げるように変形させることができるので、壁面黒板固定基板５１が湾曲している場合でも、確実に黒板載置部１１を古い黒板５２に押し当てることができ、容易に貼り替え作業を行うことができる。
（２６）各々の部分載置部材１１ａの長手方向の少なくとも一箇所に支持脚部１３を配設することにより、連結された複数の部分載置部材１１ａの各々を支持脚部１３により支持することができる。
（２７）黒板載置部１１に対し支持脚部１３を回動自在に軸支する支持脚軸支部１３ａを備えたことにより、運搬時や未使用時に支持脚部１３を折り畳むことができ、運搬性、収納時の省スペース性に優れる。
（２８）支持脚軸支部１３ａにより支持脚部１３を回動させ、黒板載置部１１の裏面側に折り畳むことができるので、貼り替え作業時に黒板保持具１０古い黒板５２に押付ける際に、支持脚部１３が邪魔にならず、施工性を向上させることができる。
（２９）支持脚部１３が、管状部１３ｂに摺動自在に挿入された摺動脚部１３ｃを固定する支持脚固定部１４を有するので、摺動脚部１３ｃの位置を調整することにより、自在に支持脚部１３全体の長さを変更することができ、端部支持具１ａ、１ｂや補助支持具６の取付け高さに合わせて黒板保持具１０を略水平に安定して支持することができる。
（３０）支持脚部１３が管状部１３ｂに摺動脚部１３ｃを挿入して摺動させるだけの簡単な構成であるため、部品点数が少なく、軽量で、黒板保持具１０を容易に持ち運ぶことができる。
（３１）支持脚部１３を折り畳んだ際に支持脚係止部材１３ｄを係止用突起１３ｅに係止して支持脚部１３を固定することができ、貼り替え作業時に黒板保持具１０を古い黒板に押付ける際や運搬時に、支持脚部１３が邪魔にならず、施工性、取扱い性を向上させることができる。
（３２）連結金具１５の一端に形成した係止部１５ｂを枠状に形成された部分載置部材１１ａの内周面に当接させて係止することにより、隣接する部分載置部材１１ａ、１１ａ同士の位置ずれや回動を低減することができ、精度よく位置決めして貼り替えを行うことができる。
【００４８】
以上のように実施の形態１における黒板貼り替え治具を用いた黒板貼り替え方法によれば、以下の作用を有する。
（３３）端部支持具取付工程により、端部支持具１ａ、１ｂの固定部２を壁面黒板固定基板５１の底面５１ａに新しい黒板５４の長手方向の両端位置でそれぞれ着脱自在に固定することができるので、新しい黒板５４の寸法、貼り替え位置に合わせて確実に黒板保持具１０を支持することができる。
（３４）黒板保持具載置工程により、黒板保持具１０の支持脚部１３と対向する黒板載置部１１の端部を端部支持具１ａ、１ｂの摺動案内部４上に載置することができると共に、黒板載置部支持工程により、黒板保持具１０の支持脚部１３で黒板載置部１１を支持することができるので、黒板保持具１０を自立させることができ、一人又は少人数で貼り替え作業を行うことができる。
（３５）黒板磁着工程により、黒板保持具１０の黒板載置部１１の上面の所定位置に新しい黒板５４の筆記面を磁着することができるので、確実に黒板保持具１０によって新しい黒板５４を保持することができ、簡便に移動や貼り替え作業を行うことができる。
（３６）接着層形成工程により、古い黒板５２の表面及び／又は新しい黒板５４の裏面に接着層を形成することができるので、黒板載置部回動工程で黒板載置部１１を回動させ、黒板載置部摺動工程で黒板載置部１１を古い黒板５２側へ摺動させた後、黒板押圧工程で新しい黒板５４を古い黒板５２に押圧するだけで簡単かつ確実に黒板の貼り替えを行うことができ、新しい黒板５４の中央に空気溜まりが発生するのを防止できる。
（３７）黒板保持具載置工程により、黒板載置部１１の端部が端部支持具１ａ、１ｂの摺動案内部４上に載置されているので、黒板載置部回動工程において、黒板載置部１１の支持脚部側１３の端部を容易に上方に押し上げて端部支持具１ａ、１ｂの摺動案内部４に直立させることができる。
（３８）黒板載置部摺動工程により、黒板載置部１１を古い黒板５２側へ摺動させることができるので、黒板載置部１１全面で新しい黒板５４を古い黒板５２に押圧することができる。
（３９）黒板押圧工程により、新しい黒板５４を確実に押圧することができ、古い黒板５２に強固に接着することができ、剥離を防止できる。
（４０）端部支持具取付工程が側面位置決め部５ａ、５ｂによる左右位置決め工程を備えた場合、予め側面位置決め部５ａ、５ｂにより、容易に黒板の貼り替え位置を位置決めすることができ、黒板載置部回動工程及び黒板載置部摺動工程において、黒板載置部１１の両端を確実に貼り替え位置に案内することができ、位置ずれを発生させることなく、精度よく貼り替えを行なうことができる。
（４１）黒板押圧工程において、新しい黒板５４の表面をローラ等の押圧器具により隅々まで押圧することにより、確実な接着を行うことができ、耐久性に優れる。
（４２）補助支持具取付工程により、壁面黒板固定基板５１の底面５１ａに長手方向の任意位置で１以上の補助支持具６が着脱自在に固定されるので、大型の黒板や湾曲した壁面黒板固定基板５１に対し黒板の貼り替えを行う際に、黒板載置部１１の長手方向の要所を支持することができ、黒板保持具１０の摺動時に確実に案内することができる。
【００４９】
（実施の形態２）
本発明の実施の形態２における黒板貼り替え治具について、以下、図面を用いて説明する。尚、実施の形態１と同様のものには同一の符号を付して説明を省略する。
図５（ａ）は実施の形態２における黒板貼り替え治具を黒板保持枠に取付けた状態を示す要部斜視図であり、図５（ｂ）は実施の形態２における黒板貼り替え治具を黒板保持枠に取付けた状態を示す側面図でである。
図５において実施の形態２における黒板貼り替え治具が実施の形態１と異なるのは、実施の形態２における黒板貼り替え治具の端部支持具２１が、固定部２２の端部に垂設された垂直固定部２２ａと、垂直固定部２２ａに穿設された垂直固定孔２２ｂと、摺動案内部２４の端部に垂設された垂直支持部２４ａと、垂直支持部２４ａに穿設された垂直位置決め孔２４ｂと、垂直固定孔２２ｂ及び垂直位置決め孔２４ｂに挿通され固定部２２と摺動案内部２４を着脱自在に固定するボルトとナット等の支持具固定部５３ａを有する点である。
【００５０】
垂直固定孔２２ｂ及び垂直位置決め孔２４ｂは長孔状に形成した。これにより、固定部２２と摺動案内部２４の高さを容易に調整でき、壁面黒板固定基板５１と古い黒板５２との高さ方向の位置ずれ量によらず、黒板保持具１０を案内でき、位置決め精度を向上させている。
固定部２２及び／又は摺動案内部２４の両側を下方に折り曲げ、断面略コ字型に形成してもよい。これにより、固定部２２及び／又は摺動案内部２４の剛性を高めることができ、特に、黒板保持具１０の端部を摺動案内部２４に載置した際や黒板保持具１０を回動させて摺動案内部２４に直立させた際などに固定部２２及び／又は摺動案内部２４が黒板保持具１０の重量により変形するのを防止でき、信頼性に優れる。
実施の形態２における黒板貼り替え治具の端部支持具２１は壁面黒板固定基板５１の左右で同一のものを使用することができ、生産性、施工性に優れる。
また、補助支持具は端部支持具２１と同様の構成であり、黒板保持具１０は実施の形態１と共通なので説明を省略する。
【００５１】
以上のように形成された実施の形態２の黒板貼り替え治具を用いた黒板貼り替え方法について、図面を用いて説明する。
実施の形態２の黒板貼り替え治具を用いた黒板貼り替え方法が実施の形態１と異なるのは、端部支持具取付工程及び補助支持具取付工程が、固定部２２に対し摺動案内部２４を上下に移動させて高さ調整し、支持具固定部５３ａで固定する摺動案内高さ調整工程を備えた点である。
これにより、摺動案内部２４を古い黒板５２の下端に位置合わせして精度よく貼り替えを行なうことができる。特に、壁面黒板固定基板５１の底面５１ａと古い黒板５２の下端がずれている場合に好適である。また、壁面黒板固定基板５１の底面５１ａに配設された粉受が取外せない場合も、端部支持具２１及び補助支持具を粉受の底面に取付けることにより、貼り替え作業を行うことができる。
【００５２】
以上のように実施の形態２における黒板貼り替え治具によれば、実施の形態１の作用に加え、以下の作用を有する。
（１）端部支持具２１及び補助支持具が、固定部２２の端部に垂設された垂直固定部２２ａと、摺動案内部２４の端部に垂設された垂直支持部２４ａを有するので、固定部２２の垂直固定部２２ａに摺動案内部２４の垂直支持部２４ａを当接させることにより、固定部２２で摺動案内部２４を案内することができ、摺動案内部２４を水平に保持することができ、精度のよい貼り替え作業を行うことができる。
（２）垂直固定部２２ａに垂直固定孔２２ｂが穿設され、垂直支持部２４ａに垂直位置決め孔２４ｂが穿設されているので、支持具固定部５３ａにより容易に固定部２２と摺動案内部２４の高さを調整して固定することができ、端部支持具２１及び補助支持具の分解、組立てを簡便に行うことができる。
（３）垂直固定孔２２ｂ及び垂直位置決め孔２４ｂにより、固定部２２と摺動案内部２４の高さを自在に調整できるので、壁面黒板固定基板５１と古い黒板５２の下端がずれている場合や、壁面黒板固定基板５１から粉受が取外せない場合でも、摺動案内部２４を古い黒板５２の下端や粉受の上面に容易に位置合わせすることができ、確実に黒板保持具１０を案内して貼り替え作業を行うことができる。
【００５３】
以上のように実施の形態２における黒板貼り替え治具を用いた黒板貼り替え方法によれば、実施の形態１の作用に加え、以下の作用を有する。
（４）摺動案内高さ調整工程により、固定部２２に対し摺動案内部２４を上下に移動させて高さ調整することができるので、摺動案内部２４を古い黒板５２の下端や粉受の上面に位置合わせして精度よく貼り替えを行なうことができ、信頼性、汎用性に優れる。
【００５４】
（実施の形態３）
本発明の実施の形態３における黒板貼り替え治具について、以下、図面を用いて説明する。尚、実施の形態１乃至実施の形態２と同様のものには同一の符号を付して説明を省略する。
図６（ａ）は実施の形態３における黒板貼り替え治具を黒板保持枠に取付けた状態を示す要部斜視図であり、図６（ｂ）は実施の形態３における黒板貼り替え治具を黒板保持枠に取付けた状態を示す側面図である。
図６において実施の形態３における黒板貼り替え治具が実施の形態２と異なるのは、壁面黒板固定基板５１の右端に取付けられた実施の形態３における黒板貼り替え治具の端部支持具３１が、摺動案内部２４の右の端部に立設された側面案内部２６を有し、側面案内部２６の壁面黒板固定基板５１側の下端面２６ａが粉受５５の上面と面一に形成され、側面案内部２６の端面２６ｂが古い黒板５２の表面と面一に形成されている点である。
尚、壁面黒板固定基板５１の左端に取付けられる端部支持具は、右端の端部支持具３１と同様の構成で左右対称に形成されるので説明を省略する。
図６中、５５は壁面黒板固定基板５１の底面５１ａに配設された粉受、５５ａは粉受５５の長手方向と並行に形成された凹条の溝部、５５ｂは粉受５５の底面、５６は溝部５５ａに嵌入された埋木である。
【００５５】
側面案内部２６の壁面黒板固定基板５１側の下端面２６ａを粉受５５の上面と面一に形成し、側面案内部２６の端面２６ｂを古い黒板５２の表面と面一に形成することで、固定部２２を壁面黒板固定基板５１の長手方向の任意の位置で粉受５５に固定できるようにしている。古い黒板５２の長手方向の一部のみの貼り替え時に、側面案内部２６の壁面黒板固定基板５１側の下端面２６ａを粉受５５の上面に当接させ、側面案内部２６の端面２６ｂを古い黒板５２の表面に突き当てるようにして取付けることができるので、左右方向の位置ずれを発生させることなく、黒板保持具１０を確実に摺動させて古い黒板５２の表面まで案内できる。
本実施の形態では、側面案内部２６は摺動案内部２４の端部を上方に折り曲げて一体に形成したが、別部材を摺動案内部２４の側部にねじ止め等により固定してもよい。摺動案内部２４に対し側面案内部２６を壁面黒板固定基板５１の厚さ方向に摺動自在に固定する側面案内調整部を備えた場合、壁面黒板固定基板５１の厚さが異なっても、側面案内部２６の端面２６ｂを古い黒板５４の表面に突き当てるように移動させて固定することができ、黒板保持具１０を確実に摺動させて古い黒板５２の表面まで案内できる。
また、側面案内部２６は固定部２２に形成又は配設してもよい。側面案内部２６を固定部２２に設けた場合、案内面を黒板保持枠５０や粉受５５の長手方向の両側の端面に突き当てるようにして固定できるので、古い黒板５２の長手方向全体の貼り替え時に好適に使用できる。
【００５６】
以上のように形成された実施の形態３の黒板貼り替え治具を用いた黒板貼り替え方法について、図面を用いて説明する。
図６において実施の形態３の黒板貼り替え治具を用いた黒板貼り替え方法が実施の形態２と異なるのは、端部支持具取付工程及び補助支持具取付工程の前工程として、粉受５５の溝部５５ａに埋木５６を嵌入する埋木嵌入工程を有する点と、端部支持具取付工程及び補助支持具取付工程により取付けられる端部支持具３１及び補助支持具が、粉受５５の底面５５ｂに取付けられている点である。
これにより、壁面黒板固定基板５１から粉受５５が取外せない場合でも、黒板保持具１０を確実に摺動させて古い黒板５２の表面まで案内できる。
【００５７】
実施の形態３における黒板貼り替え治具によれば、実施の形態２の作用に加え、以下の作用を有する。
（１）端部支持具３１の摺動案内部２４の左右いずれか一方の端部に側面案内部２６が立設されているので、黒板保持具１０の黒板載置部１１の両端を確実に案内することができ、左右方向の位置ずれを発生させることなく黒板保持具１０を摺動案内部２４上で摺動させることができる。
（２）側面案内部２６を有することにより、固定部２２を壁面黒板固定基板５１の長手方向の任意の位置で粉受５５に固定することができ、古い黒板５２の長手方向の一部のみの貼り替え時に好適に使用できる。
（３）壁面黒板固定基板５１から粉受５５を取外せない時でも、側面案内部２６を壁面黒板固定基板５１側に伸ばすことにより、側面案内部２６の壁面黒板固定基板５１側の下端面２６ａを粉受５５の上面に当接させ、側面案内部２６の端面２６ｂを古い黒板５２の表面に突き当てるようにして取付けることができるので、黒板保持具１０を確実に摺動させて古い黒板５２の表面まで案内できる。
【００５８】
以上のように実施の形態３における黒板貼り替え治具を用いた黒板貼り替え方法によれば、実施の形態２の作用に加え、以下の作用を有する。
（４）端部支持具取付工程及び補助支持具取付工程の前工程として、埋木嵌入工程により粉受５５の溝部５５ａに埋木５６を嵌入するので、粉受５５の上面の段差をなくすことができ、黒板載置部摺動工程において黒板保持具１０を確実に摺動させることができる。
【００５９】
（実施の形態４）
本発明の実施の形態４における黒板貼り替え治具について、以下、図面を用いて説明する。尚、実施の形態１と同様のものには同一の符号を付して説明を省略する。
図７（ａ）は実施の形態４における黒板貼り替え治具の黒板保持具を示す斜視図であり、図７（ｂ）は図７（ａ）におけるＢ−Ｂ線矢視図であり、図８（ａ）は黒板保持具の連結金具を示す底面図であり、図８（ｂ）は黒板保持具の連結金具の変形例を示す底面図である。
図７及び図８（ａ）において実施の形態４における黒板貼り替え治具が実施の形態１と異なるのは、実施の形態４における黒板貼り替え治具の黒板保持具１０ａの黒板載置部１１ａの前部側に補助磁石１２ａが配設された補助磁着部１１ｂが蝶番等の回動軸支部１１ｃにより回動自在に配設されている点と、支持脚部１３を回動自在に軸支する支持脚軸支部１３ａが管状部１３ｂの壁面黒板固定基板５１側の側部に配設されている点と、連結金具２５ａ、２５ｂが係止部１５ｂを有さず連結金具２５ａ、２５ｂの一端部が結合部材１６により一方の部分載置部材１１ａのみに着脱自在に固定され隣接する部分載置部材１１ａ、１１ａのそれぞれの連結金具２５ａ、２５ｂが互いに接触するように配設されている点である。
【００６０】
隣接する部分載置部材１１ａ、１１ａにそれぞれ２つずつの連結金具２５ａ、２５ｂを配設し、連結金具２５ａ、２５ｂ同士が互いに接触するようにした。特に、左側の部分載置部材１１ａの２つの連結金具２５ａがいずれも右側の部分載置部材１１ａの２つの連結金具２５ｂの内側で接触するように配設したので、部分載置部材１１ａ、１１ａが上下に摺動ことがなく信頼性に優れる。
尚、本実施の形態では連結金具２５ａ、２５ｂの一端部のみを結合部材１６により一方の部分載置部材１１ａに固定したが、連結金具２５ａ、２５ｂの両端部をそれぞれ隣接する部分載置部材１１ａ、１１ａに固定してもよい。特に実施の形態１で説明したように、壁面黒板固定基板５１の前方に十分なスペースがなく、別の場所で黒板磁着工程を行い、黒板保持具１０を立てた状態で搬入する場合、部分載置部材１１ａ、１１ａを確実に固定する必要があり、連結金具２５ａ、２５ｂの両端部をそれぞれ隣接する部分載置部材１１ａ、１１ａに固定することが望ましい。
端部支持具及び補助支持具は、実施の形態１乃至３で使用したいずれかのものと組合せて使用することができるので説明を省略する。
【００６１】
以上のように形成された実施の形態４の黒板貼り替え治具を用いた黒板貼り替え方法について、図面を用いて説明する。
実施の形態４の黒板貼り替え治具を用いた黒板貼り替え方法が実施の形態１乃至３と異なるのは、黒板磁着工程が新しい黒板５４を磁石１２により仮固定しながら位置決めする黒板位置決め工程と、位置決め後に補助磁着部１１ｂを回動させて補助磁石１２ａにより新しい黒板５４を強固に磁着する黒板固定工程と、を備えた点である。
黒板載置部１１ａの上面に配設される磁石１２の磁力を弱くするか、磁石１２の数を減らしておくことにより、黒板位置決め工程において新しい黒板５４が黒板載置部１１ａに強固に磁着されるのを防止でき、位置決めを容易に行うことができる。その後、黒板固定工程において、補助磁着部１１ｂを回動させて新しい黒板５４を強固に磁着することができるので、後工程の黒板載置部回動工程や黒板載置部摺動工程において新しい黒板５４の位置ずれが発生することなく貼り替え作業を行うことができ、信頼性、汎用性に優れる。
特に、新しい黒板５４がマグネット式等の場合に、新しい黒板５４が磁石１２に強固に固定され位置決めが困難になるのを防ぐことができ、好適に用いることができる。
【００６２】
また、補助磁着部１１ｂにより新しい黒板５４を強固に磁着することができるので、古い黒板５２の下地がマグネットの場合も、黒板保持具１０を摺動案内部４、９上に直立させた際に、新しい黒板５４が古い黒板５２の磁力で引き寄せられて位置ずれが発生するのを防ぐことができる。
尚、支持脚軸支部１３ａが管状部１３ｂの壁面黒板固定基板５１側の側部に配設されていることにより、黒板載置部回動工程で黒板載置部１１の支持脚部１３側の端部を上方に押し上げて黒板載置部１１を端部支持具１ａ、１ｂの摺動案内部４及び補助支持具６の摺動案内部９上に直立させた際に、支持脚部１３が自重により回動し、自動的に折り畳まれるので、工数を低減でき施工性を向上させることができる。
本実施の形態では、補助磁着部１１ｂを各黒板載置部１１ａに一箇所ずつ設け、補助磁着部１１ｂの長手方向の一辺を回動軸支部１１ｃにより回動自在に軸支したが、補助磁着部１１ｂの配設箇所、個数、回動方向はこれに限定されるものではない。
【００６３】
次に、連結金具の変形例について説明する。
図８（ｂ）において、連結金具の変形例が実施の形態４と異なるのは、左側の部分載置部材１１ａの連結金具２５ａを両側から挟むように右側の部分載置部材１１ａに１箇所当たり２つの連結金具２５ｂ、２５ｂが配設されている点である。これにより、より確実に部分載置部材１１ａ、１１ａが上下に摺動するのを防ぐことができる。
尚、２つの連結金具２５ｂ、２５ｂは略コ字形になるように一体に形成してもよい。
【００６４】
以上のように実施の形態４における黒板貼り替え治具によれば、実施の形態１乃至３の作用に加え、以下の作用を有する。
（１）磁石１２の磁力を弱くするか、個数を減らすことにより、黒板位置決め工程において、新しい黒板５４が黒板載置部１１ａに強固に磁着されるのを防止でき、位置決めを容易に行うことができると共に、黒板固定工程において、補助磁着部１１ｂを回動させて新しい黒板５４を強固に磁着することができるので、後工程の黒板載置部回動工程や黒板載置部摺動工程において新しい黒板５４の位置ずれが発生することなく貼り替え作業を行うことができ、信頼性、汎用性に優れる。
（２）補助磁着部１１ｂにより新しい黒板５４を強固に磁着することができるので、古い黒板５２の下地がマグネットの場合も、黒板保持具１０を摺動案内部４、９上に直立させた際に、新しい黒板５４が古い黒板５２の磁力で引き寄せられて位置ずれが発生するのを防ぐことができ、信頼性、施工性に優れる。
（３）隣接する部分載置部材１１ａ、１１ａにそれぞれ２以上の連結金具２５ａ、２５ｂを配設し、隣接する部分載置部材１１ａ、１１ａの連結金具２５ａ、２５ｂを互いに接触させて固定することにより、部分載置部材１１ａ、１１ａが前後に摺動するのを防ぐことができる。特に、一方の部分載置部材１１ａに配設した２つの連結金具２５ｂで他方の部分載置部材１１ａに配設した１つの連結金具２５ａを挟むようにした場合、より確実に部分載置部材１１ａ、１１ａが前後に摺動するのを防止でき、位置決めの信頼性に優れる。
【産業上の利用可能性】
【００６５】
本発明は、チョーク乗りが悪くなった黒板の補修を行うための黒板貼り替え治具及びそれを用いた黒板貼り替え方法に関し、簡単な構成で部品点数が少なく、低コスト性、生産性に優れ、分解、組立てが容易で運搬性に優れると共に、様々な寸法形状を有する黒板に対し、精度よく位置決めを行って貼り替えを行うことができる信頼性、汎用性に優れる黒板貼り替え治具の提供及び黒板の貼り替えを短時間で確実に行なうことができる施工性、生産性に優れる黒板貼り替え方法の提供を行なうものであって、黒板貼り替え作業の工期を短縮して信頼性、耐久性を向上させることができる。
【図面の簡単な説明】
【００６６】
【図１】（ａ）実施の形態１における黒板貼り替え治具の端部支持具及び補助支持具を示す斜視図    （ｂ）実施の形態１における黒板貼り替え治具の黒板保持具を示す斜視図    （ｃ）図１（ｂ）におけるＡ−Ａ線矢視図
【図２】（ａ）黒板保持枠に端部支持具及び補助支持具を取付けた状態を示す斜視図    （ｂ）黒板保持枠に端部支持具及び補助支持具を取付けた状態を示す側面図
【図３】黒板保持具の載置状態を示す斜視図
【図４】黒板保持具の直立状態を示す斜視図
【図５】（ａ）実施の形態２における黒板貼り替え治具を黒板保持枠に取付けた状態を示す要部斜視図    （ｂ）実施の形態２における黒板貼り替え治具を黒板保持枠に取付けた状態を示す側面図
【図６】（ａ）実施の形態３における黒板貼り替え治具を黒板保持枠に取付けた状態を示す要部斜視図    （ｂ）実施の形態３における黒板貼り替え治具を黒板保持枠に取付けた状態を示す側面図
【図７】（ａ）実施の形態４における黒板貼り替え治具の黒板保持具を示す斜視図    （ｂ）図７（ａ）におけるＢ−Ｂ線矢視図
【図８】（ａ）黒板保持具の連結金具を示す底面図    （ｂ）黒板保持具の連結金具の変形例を示す底面図
【符号の説明】
【００６７】
１ａ、１ｂ    実施の形態１における黒板貼り替え治具の端部支持具
２    固定部
３    固定部取付孔
４    摺動案内部
５ａ、５ｂ    側面位置決め部
６    実施の形態１における黒板貼り替え治具の補助支持具
７    固定部
８    固定部取付孔
９    摺動案内部
１０    実施の形態１における黒板貼り替え治具の黒板保持具
１０ａ    実施の形態４における黒板貼り替え治具の黒板保持具
１１    黒板載置部
１１ａ    部分載置部材
１１ｂ    補助磁着部
１１ｃ    回動軸支部
１２    磁石
１２ａ  補助磁石
１３    支持脚部
１３ａ    支持脚軸支部
１３ｂ    管状部
１３ｃ    摺動脚部
１３ｄ    支持脚係止部材
１３ｅ    係止用突起
１４    支持脚固定部
１５、２５ａ、２５ｂ    連結金具
１５ａ    連結孔
１５ｂ    係止部
１６    結合部材
１７    弾性部材
１８    押え金具
２１    実施の形態２における黒板貼り替え治具の端部支持具
２２    固定部
２２ａ    垂直固定部
２２ｂ    垂直固定孔
２４    摺動案内部
２４ａ    垂直支持部
２４ｂ    垂直位置決め孔
２６    側面案内部
２６ａ    下端面
２６ｂ    端面
３１    実施の形態３における黒板貼り替え治具の端部支持具
５０    黒板保持枠
５１    壁面黒板固定基板
５１ａ    底面
５２    古い黒板
５３    固定ねじ
５３ａ    支持具固定部
５４    新しい黒板
５５    粉受
５５ａ    溝部
５５ｂ  底面
５６  埋木
【図１】
2006035822.tif 000003
【図２】
2006035822.tif 000004
【図３】
2006035822.tif 000005
【図４】
2006035822.tif 000006
【図５】
2006035822.tif 000007
【図６】
2006035822.tif 000008
【図７】
2006035822.tif 000009
【図８】
2006035822.tif 000010